(57)【要約】【課題】省スペースで這いまわすことが可能なフラットケーブル及びこれを備えた電子装置を提供する。【解決手段】複数の導体線を有するフラットケーブルにおいて、第１の導体線及び第２の導体線の間に設けられるスリットＳＬによって分割されると共に、フラットケーブル１０８の厚さ方向から視て、少なくとも一部が重なる第１領域３０１及び第２領域３０２を備える。複数の導体線は、第１領域３０１に配置され第１の導体線に隣接する第３の導体線と、第２領域３０２に配置され第２の導体線に隣接する第４の導体線と、を有し、第１の導体線と第２の導体線の間隔は、第１の導体線と第３の導体線の間隔及び第２の導体線と第４の導体線の間隔よりも広い。【選択図】図７
2019192474.tif 000002
【特許請求の範囲】
【請求項１】
第１の導体線及び第２の導体線を含む複数の導体線を有するフラットケーブルにおいて、
前記第１の導体線及び前記第２の導体線の間に設けられるスリットによって分割されると共に、前記フラットケーブルの厚さ方向から視て、少なくとも一部が重なる第１領域及び第２領域を備える、
ことを特徴とするフラットケーブル。
【請求項２】
前記複数の導体線は、前記第１領域に配置され前記第１の導体線に隣接する第３の導体線と、前記第２領域に配置され前記第２の導体線に隣接する第４の導体線と、を有し、
前記第１の導体線と前記第２の導体線の間隔は、前記第１の導体線と前記第３の導体線の間隔及び前記第２の導体線と前記第４の導体線の間隔よりも広い、
ことを特徴とする請求項１に記載のフラットケーブル。
【請求項３】
前記フラットケーブルの厚みは、０．１５ｍｍ以上１ｍｍ以下である、
ことを特徴とする請求項１又は２に記載のフラットケーブル。
【請求項４】
前記スリットは、前記フラットケーブルの両端部には形成されていない、
ことを特徴とする請求項１乃至３のいずれか１項に記載のフラットケーブル。
【請求項５】
第１の電子機器及び第２の電子機器と、
第１の導体線及び第２の導体線を含む複数の導体線を有し、前記第１の電子機器と前記第２の電子機器との間で画像信号を伝送するフラットケーブルと、を備え、
前記フラットケーブルは、前記第１の導体線及び前記第２の導体線の間に設けられるスリットによって分割されると共に、前記フラットケーブルの厚さ方向から視て、少なくとも一部が重なる第１領域及び第２領域を備える、
ことを特徴とする電子装置。
【請求項６】
光を透過すると共に、シートを支持するシート支持部を備え、
前記第１の電子機器は、前記シート支持部に支持されたシートに前記シート支持部を介して光を照射する光源と、前記光源から照射されシートで反射した光を受光し、画像信号に変換する撮像部と、を有し、シート支持部に支持されたシートに沿って移動しながらシートの画像を読み取る読取ユニットであり、
前記第２の電子機器は、電源を供給する電源供給部を有し、前記光源及び前記撮像部を制御する制御部である、
ことを特徴とする請求項５に記載の電子装置。
【請求項７】
前記読取ユニットは、前記撮像部から出力される前記画像信号をデジタル信号に変換する変換部を有し、
前記フラットケーブルの前記第１領域は、前記デジタル信号を伝送し、
前記フラットケーブルの前記第２領域は、前記変換部に対する通信信号を伝送すると共に、前記光源、前記撮像部及び前記変換部に電源電圧を供給する、
ことを特徴とする請求項６に記載の電子装置。
【請求項８】
前記制御部は、前記撮像部から出力される前記画像信号をデジタル信号に変換する変換部を有し、
前記フラットケーブルの前記第１領域は、前記画像信号を伝送し、
前記フラットケーブルの前記第２領域は、前記光源及び前記撮像部に電源電圧を供給する、
ことを特徴とする請求項６に記載の電子装置。
【請求項９】
前記フラットケーブルは、前記読取ユニットが移動することで略水平方向に湾曲し、前記読取ユニットのフレームの底面には当接しない状態で前記フレームの側面に摺動する、
ことを特徴とする請求項６乃至８のいずれか１項に記載の電子装置。
【請求項１０】
前記複数の導体線は、前記第１領域に配置され前記第１の導体線に隣接する第３の導体線と、前記第２領域に配置され前記第２の導体線に隣接する第４の導体線と、を有し、
前記第１の導体線と前記第２の導体線の間隔は、前記第１の導体線と前記第３の導体線の間隔及び前記第２の導体線と前記第４の導体線の間隔よりも広い、
ことを特徴とする請求項５乃至９のいずれか１項に記載の電子装置。
【請求項１１】
前記フラットケーブルの厚みは、０．１５ｍｍ以上１ｍｍ以下である、
ことを特徴とする請求項５乃至１０のいずれか１項に記載の電子装置。
【請求項１２】
前記スリットは、前記フラットケーブルの両端部には形成されていない、
ことを特徴とする請求項５乃至１１のいずれか１項に記載の電子装置。
【発明の詳細な説明】
【技術分野】
【０００１】
本発明は、複数の導体線を有するフラットケーブル及びこれを備える電子装置に関する。
【背景技術】
【０００２】
一般に、原稿に記録された画像や文字情報に光を照射し、その反射光をイメージセンサを含む撮像部によって読取る画像読取装置が知られている。このような画像読取装置では、原稿台ガラス上に読取面を下向きにして原稿を載置し、原稿台ガラスの下方に配置された撮像部が移動しながら原稿の画像や文字情報を読み取る。
【０００３】
従来、原稿に光を照射するＬＥＤランプを移動可能に収容すると共に、装置本体に内蔵された制御基板とＬＥＤランプとを接続するフレキシブルケーブル（以下、ＦＦＣとする）を備えた画像読取装置が提案されている（特許文献１参照）。ＦＦＣは、ＬＥＤランプの移動に伴って湾曲しながら制御信号をＬＥＤランプに送信し、湾曲する際に画像読取装置のフレームの底面に摺動する。
【０００４】
また、原稿載置ガラスと、原稿載置ガラスに載置された原稿の画像を読み取るＣＩＳを搭載した走行体と、を備える画像読取装置が提案されている（特許文献２参照）。走行体は、モータによって駆動されるベルトに支持されており、原稿の画像を読み取る際には、モータが駆動されることで、走行体が原稿に沿って移動する。ＣＩＳで読み取られた画像は、アナログ画像信号伝送ケーブル、Ａ／Ｄ変換器、デジタル信号伝送ケーブルを通じて画像読取装置を搭載した画像形成装置の制御基板に伝送される。また、モータと制御基板は、モータに駆動信号を伝送する駆動信号伝送ケーブルによって接続されている。デジタル信号伝送ケーブル及び駆動信号伝送ケーブルは、フレキシブルフラットケーブルによって構成されているが、デジタル信号伝送ケーブルのデジタル画像信号は外部ノイズの影響を受けやすい。このため、デジタル信号伝送ケーブルと駆動信号伝送ケーブルとの間に壁部を介在させ、デジタル画像信号に駆動信号伝送ケーブルの駆動信号がノイズとして乗ることを低減している。
【先行技術文献】
【特許文献】
【０００５】
【特許文献１】特許第５５４４２７６号公報
【特許文献２】特開２０１４−２２７７６号公報
【発明の概要】
【発明が解決しようとする課題】
【０００６】
しかしながら、特許文献１に記載のＦＦＣは、湾曲する際に画像読取装置のフレームの底面に摺動するため、ＬＥＤランプとフレームの底面とが近接している場合には、ＦＦＣの屈曲部に強い応力がかかり、ＦＦＣ内の電線が断線する虞がある。このため、ＬＥＤランプとフレームの底面との距離をある程度開ける必要があり、装置が大型化してしまっていた。
【０００７】
また、特許文献２に記載のデジタル信号伝送ケーブル及び駆動信号伝送ケーブルは、それぞれ別個に装置内において這いまわされており、ケーブルを這いまわすためのスペースが増大すると共に、ケーブルを接続するためのコネクタの数も増大してしまっていた。このため、装置が大型化してしまっていた。
【０００８】
そこで、本発明は、省スペースで這いまわすことが可能となるようにフラットケーブルを構成し、上述した課題を解決したフラットケーブル及びこれを備えた電子装置を提供することを目的とする。
【課題を解決するための手段】
【０００９】
本発明は、第１の導体線及び第２の導体線を含む複数の導体線を有するフラットケーブルにおいて、前記第１の導体線及び前記第２の導体線の間に設けられるスリットによって分割されると共に、前記フラットケーブルの厚さ方向から視て、少なくとも一部が重なる第１領域及び第２領域を備える、ことを特徴とする。
【００１０】
また、本発明は、電子装置において、第１の電子機器及び第２の電子機器と、第１の導体線及び第２の導体線を含む複数の導体線を有し、前記第１の電子機器と前記第２の電子機器との間で画像信号を伝送するフラットケーブルと、を備え、前記フラットケーブルは、前記第１の導体線及び前記第２の導体線の間に設けられるスリットによって分割されると共に、前記フラットケーブルの厚さ方向から視て、少なくとも一部が重なる第１領域及び第２領域を備える、ことを特徴とする。
【発明の効果】
【００１１】
本発明によると、フラットケーブルをスリットによって第１領域と第２領域に分割すると共に、第１領域及び第２領域をフラットケーブルの厚さ方向から視て少なくとも一部が重なるように配置する。このため、フラットケーブルの幅が短くなって小型化できる。
【図面の簡単な説明】
【００１２】
【図１】（ａ）は第１の実施の形態に係るプリンタを示す全体概略図、（ｂ）は画像形成部を示す模式図。
【図２】（ａ）は読取部がホームポジションに位置する際の画像読取部を示す斜視図、（ｂ）は読取部がエンドポジションに位置する際の画像読取部を示す斜視図。
【図３】第１の実施の形態に係る制御ブロック図。
【図４】固定読み時の読取動作を示すフローチャート。
【図５】ＦＦＣを示す平面図。
【図６】ＦＦＣの各導体に対応する信号の内容を示す表。
【図７】ＦＦＣの重ね合せ方を示す模式図。
【図８】重ね合されたＦＦＣの折り方を示す模式図。
【図９】（ａ）は読取部に取り付けられたＦＦＣを上方から視た斜視図、（ｂ）は読取部に取り付けられたＦＦＣを下方から視た斜視図。
【図１０】第２の実施の形態に係る制御ブロック図。
【図１１】ＦＦＣの各導体に対応する信号の内容を示す表。
【発明を実施するための形態】
【００１３】
＜第１の実施の形態＞
［全体構成］
以下、本発明に係る実施の形態について、図面に基づいて説明をする。図１（ａ）は、第１の実施に係る画像形成装置としてのプリンタ１を示す図である。図１（ａ）に示すようにプリンタ１は、装置本体２と、装置本体２の上部に設けられた画像読取装置３とを備えており、装置本体２の内部にはシートに画像を形成する画像形成部１０が設けられている。
【００１４】
画像形成部１０は、図１（ｂ）に示すように、電子写真方式の画像形成ユニットＰＵと、定着装置１７と、を備えている。この画像形成ユニットＰＵは、画像形成動作の開始が指令されると、感光体である感光ドラム１１が回転し、ドラム表面が帯電装置１２によって一様に帯電される。すると、露光装置１３が、画像読取装置３又は外部のコンピュータから送信された画像データに基づいてレーザ光を変調して出力し、感光ドラム１１の表面を走査して静電潜像を形成する。この静電潜像は、現像装置１４から供給されるトナーによって可視化（現像）されてトナー像となる。
【００１５】
このような画像形成動作に並行して、不図示のカセット又は手差しトレイに積載されたシートを画像形成部１０へ向けて給送する給送動作が実行される。給送されたシートは、画像形成ユニットＰＵによる画像形成動作の進行に合わせて搬送される。そして、感光ドラム１１に担持されたトナー像は、転写ローラ１５によってシートに転写される。トナー像転写後に感光ドラム１１上に残ったトナーは、クリーニング装置１６によって回収される。未定着のトナー像が転写されたシートは、定着装置１７へと受け渡され、ローラ対に挟持されて加熱及び加圧される。トナーがシートに対して溶融及び固着して画像が定着したシートは、排出ローラ対等によって、排出される。
【００１６】
［画像読取装置］
次に、画像読取装置３の構成について、詳しく説明をする。なお、本実施の形態において、シートとは、普通紙の他にも、コート紙等の特殊紙、封筒やインデックス紙等の特殊形状からなる記録材、及びオーバーヘッドプロジェクタ用のプラスチックフィルムや布などを含むものである。また、原稿もシートの一例であり、原稿は、白紙でも、片面又は両面に画像が形成されていてもよいものとする。
【００１７】
画像読取装置３は、図１（ａ）に示すように、原稿の画像を読み取る電子装置としての画像読取部５と、画像読取部５に対して開閉可能に設けられた自動原稿搬送装置（以下、単にＡＤＦという）４と、を備えている。画像読取部５は、原稿が載置されると共に光を透過する原稿台ガラス７０と、原稿の画像を読み取る第１の電子機器及び読取ユニットとしての読取部１０５と、を備えている。画像読取部５は、固定読みと、流し読みと呼ばれる２種類の方法により原稿の読み取りが可能に構成されている。読取部１０５は、読取部１０５を支持する不図示のベルトを駆動するモータ２１３（図３参照）によって、副走査方向（図１（ａ）の矢印Ｘ方向）に移動可能に構成されている。
【００１８】
固定読みにおいて、画像読取部５は、シート支持部としての原稿台ガラス７０に載置された原稿に対して、読取部１０５を副走査方向に一定速度で走査することで、原稿に記録された画像情報を１ラインずつ読み取る。また、流し読みにおいては、読取部１０５をＡＤＦ４のリードローラ４９の中心位置に来るように移動し、ＡＤＦ４により搬送された原稿トレイ４１上の原稿を光学的に読み取るようになっている。
【００１９】
ＡＤＦ４は、１枚以上の原稿で構成される原稿束Ｓを積載する原稿トレイ４１と、給送ローラ４３と、分離パッド４５及び分離ローラ４４と、を備えている。給送ローラ４３は、アームを介して昇降可能に構成されており、上方に位置した退避位置から下降することによって、原稿トレイ４１に積載された原稿束Ｓの最上位の原稿と当接し、給送するように構成されている。給送ローラ４３によって給送された原稿は、分離ローラ４４と分離パッド４５の作用によって１枚ずつ分離されて給送される。
【００２０】
分離ローラ４４と分離パッド４５によって分離された原稿は、引抜ローラ４６により、レジストレーションローラ対４７へ搬送され、レジストレーションローラ対４７に原稿が突き当てられる。これにより原稿はループ状のたわみが形成され、原稿の搬送における斜行が補正される。レジストレーションローラ対４７の下流側には、レジストレーションローラ対４７を通過した原稿を流し読みガラス５７へと搬送する搬送路が配置されており、この搬送路に送られた原稿は、読み取り上流ローラ４８によって画像読取位置へと搬送される。画像読取位置では、原稿の表面は読取部１０５に搭載されたＬＥＤ２０４（図３参照）により照射され、その反射光は、読取部１０５のイメージセンサ２０７（図３参照）に導かれ、原稿の表面画像が１ラインずつ読み取られる。なお、イメージセンサ２０７は、例えばＣＩＳ（Ｃｏｎｔａｃｔ  Ｉｍａｇｅ  Ｓｅｎｓｏｒ）やＣＣＤ（Ｃｈａｒｇｅｄ  Ｃｏｕｐｌｅｄ  Ｄｅｖｉｃｅｓ）が適用される。
【００２１】
リードローラ４９の原稿搬送方向下流には読み取り下流ローラ５０が設けられており、この読み取り下流ローラ５０により搬送された原稿は、原稿の表面画像のみを読み取る場合には排紙ローラ５６によって排紙トレイ５１に排出される。原稿が原稿トレイ４１上に複数枚有る場合には、画像読取装置３は、最終原稿の読取及び排紙トレイ５１への排紙が終了するまで上述の処理を繰り返す。
【００２２】
一方、原稿の裏面画像も読み取る場合には、表面画像を読み取り、原稿の後端が排紙ローラ５６を抜ける前に原稿を停止させる。そして排紙ローラ５６を逆回転させることで、原稿を両面搬送パス５８を介してレジストレーションローラ対４７へ向けて搬送し、表面画像の読み取り時と同様に原稿を搬送することで、原稿の裏面を読み取ることができる。
【００２３】
図２（ａ）（ｂ）に示すように、読取部１０５には、イメージセンサ２０７（図３参照）が実装されたプリント基板２０５が搭載されており、このプリント基板２０５には、フレキシブルフラットケーブル（以下、ＦＦＣ）１０８の一端が接続されている。ＦＦＣ１０８は、画像読取部５のフレーム１０９の側面１０９ａに沿って這いまわされ、側面１０９ａに形成された孔１１０から画像読取部５の外部に案内されて、第２の電子機器及び制御部としてのコントローラ２００（図３参照）に接続される。
【００２４】
読取部１０５は、固定読みの際には、図２（ａ）に示すホームポジションから図２（ｂ）に示すエンドポジションに移動しながら、原稿台ガラス７０に載置された原稿の画像を読み取る。この時、ＦＦＣ１０８は、略水平方向に湾曲し、フレーム１０９の側面１０９ａに摺動しながら読取部１０５と共に移動するが、ＦＦＣ１０８が側面１０９ａに支持されることで、ＦＦＣ１０８が重力によって垂れ下がることを低減している。
【００２５】
［制御ブロック］
図３は、本実施の形態における制御ブロック図である。画像読取装置３に設けられるコントローラ２００は、ユーザが原稿のサイズの指定や読取開始等を支持する操作部２０３と、読取部１０５と、に接続されている。コントローラ２００は、画像読取装置３の中央演算装置であるＣＰＵ２０１と、ＣＰＵ２０１の制御プログラムを格納する不揮発メモリ２０２と、ＦＦＣコネクタ２１０と、電源供給部２１１と、画像処理部２１２と、を有している。
【００２６】
読取部１０５は、原稿に光を照射する光源としてのＬＥＤ２０４と、プリント基板２０５と、を有する。プリント基板２０５は、ＬＥＤ２０４を点灯制御するＬＥＤ駆動部２０６と、シートで反射した光を受光する撮像部としてのイメージセンサ２０７と、変換部としてのＡＦＥ２０８と、ＦＦＣコネクタ２０９と、を有している。読取部１０５とコントローラ２００とは、ＦＦＣコネクタ２０９，２１０との間でＦＦＣ１０８が連結されることで、電気的に接続されている。ＡＦＥ（Ａｎａｌｏｇ  Ｆｒｏｎｔ  Ｅｎｄ）２０８は、イメージセンサ２０７から出力されるアナログの画像信号をデジタルの画像データに変換する。
【００２７】
［画像読取動作］
次に、図４に沿って、固定読み時のコントローラ２００及び読取部１０５の動作について説明する。図３及び図４に示すように、操作部２０３から読取ジョブの開始指示が出されると、ＣＰＵ２０１は、電源供給部２１１を制御し、電源供給部に＋２４Ｖ及び＋５Ｖの電圧を出力させる（ステップＳ１１）。
【００２８】
電源供給部２１１が出力した＋２４Ｖの電圧は、ＦＦＣコネクタ２０９，２１０及びＦＦＣ１０８を介してＬＥＤ駆動部２０６に供給され、ＬＥＤ２０４が点灯する。また、電源供給部２１１が出力した＋５Ｖの電圧は、ＦＦＣコネクタ２０９，２１０及びＦＦＣ１０８を介してイメージセンサ２０７及びＡＦＥ２０８に供給される。そして、ＣＰＵ２０１は、ＦＦＣコネクタ２０９，２１０及びＦＦＣ１０８を介してＡＦＥ２０８に対してシリアル通信を実行する。ＡＦＥ２０８は、シリアル通信によって内部のレジスタに所定の設定を行うことで、イメージセンサ２０７に対して読取開始信号及び駆動信号を出力する。これにより、イメージセンサ２０７の駆動が開始されると共に、ＡＦＥ２０８によるＡ／Ｄ変換が開始される（ステップＳ１２，Ｓ１３）。
【００２９】
この状態で、ＣＰＵ２０１は、モータ２１３を駆動し、読取部１０５を副走査方向に移動させ、読取部１０５は、副走査方向に移動しながら原稿台ガラス７０上の原稿を走査する（ステップＳ１４）。イメージセンサ２０７は、走査した原稿の画像信号をＡＦＥ２０８に出力し、ＡＦＥ２０８は、シリアル信号によって所定のレジスタ設定が行われることで、イメージセンサ２０７から出力された画像信号をデジタルの画像データに変換する。画像データは、ＦＦＣコネクタ２０９，２１０及びＦＦＣ１０８によってコントローラ２００の画像処理部２１２に送信され、画像処理部２１２は、シェーディング補正等の所定の画像処理を実行し、装置本体２又は外部のＰＣ等に画像データを送信する。
【００３０】
ＣＰＵ２０１は、読取部１０５による原稿の読取りが終了したか否かを判断する（ステップＳ１５）。なお、読取部１０５が原稿の読取りを行っている間は、ＡＦＥ２０８へのシリアル通信は行われず、シリアル通信信号はＨｉ若しくはＬｏｗレベルに固定された状態となる。
【００３１】
原稿の読取りが終了した場合（ステップＳ１５：Ｙｅｓ）、ＡＦＥ２０８に所定のシリアル通信が行われることで、ＡＦＥ２０８のＡ／Ｄ変換動作が終了する（ステップＳ１６）。更に、ＡＦＥ２０８に所定のシリアル通信が行われ、イメージセンサ２０７の駆動が終了する（ステップＳ１７）。すると、ＣＰＵ２０１は、電源供給部２１１をＯＦＦし、＋２４Ｖ及び＋５Ｖの電源供給が停止され、モータ２１３も駆動停止させる（ステップＳ１８，Ｓ１９）。以上により、読取ジョブが終了する。
【００３２】
［ＦＦＣの構成］
次に、ＦＦＣ１０８の構成について詳しく説明する。図５に示すように、ＦＦＣ１０８は、両端にＦＦＣコネクタ２０９，２１０にそれぞれ接続される端子１０８ａ，１０８ｂが設けられている。そして、ＦＦＣ１０８は、本実施の形態では、長さＬ＝５５０ｍｍ、導体ピッチＰ＝０．５ｍｍ、導体厚ＴＰ＝０．０５ｍｍ、幅Ｗ＝０．５ｍｍピッチ×５０芯、厚みＴ＝０．１８ｍｍに設定されている。なお、上記のような各寸法は、一例であって、本発明はこれに限定されない。
【００３３】
ＦＦＣ１０８の端子１０８ａ，１０８ｂは、５０芯のピンを有しているが、ＦＦＣ１０８は、２５芯目と２６芯目のピンに対応する位置には電気信号や電源電圧を伝送可能な導体を有していない。ＦＦＣ１０８は、幅方向に整列する複数（本実施の形態では４８本）の導体線を有しており、以下では、これら複数の導体線を、便宜的に端子１０８ａ，１０８ｂのピンに対応するように導体Ｃ１〜Ｃ５０（但し、Ｃ２５，Ｃ２６は存在しない）として呼称する。
【００３４】
ＦＦＣ１０８は、ＦＦＣ１０８の幅方向における中央付近、すなわち端子１０８ａ，１０８ｂの２５芯目と２６芯目に対応する位置に長さ４９０ｍｍのスリットＳＬを有しており、このスリットＳＬを形成するために２本の導体が抜かれている。スリットＳＬは、長さ方向において、端子１０８ａ，１０８ｂのそれぞれから３０ｍｍ離間して配置されており、端子１０８ａ，１０８ｂが有る両端部では１本のＦＦＣとなっているが、スリットＳＬの部分では２本のＦＦＣに分割されている。これら２本のＦＦＣを、それぞれ第１領域３０１及び第２領域３０２とする。
【００３５】
ＦＦＣ１０８を製造する際には、予め中央の導体を２本分抜いた状態で複数の導体を並べ、それを上下から樹脂フィルムで挟み、熱と圧力を加えて樹脂フィルムを接着する。その後、導体の無いＦＦＣ１０８の中央部分、すなわち導体Ｃ２４と導体Ｃ２７との間を針等の先端が鋭利な部材で切ってスリットＳＬを開ける。
【００３６】
ここで、第１の導体線としての導体Ｃ２４と、導体Ｃ２４のスリットＳＬとは逆側に隣接する第３の導体線としての導体Ｃ２３と、の距離は、導体ピッチＰ＝０．５ｍｍである。同様にして、第２の導体線としての導体Ｃ２７と、導体Ｃ２７のスリットＳＬとは逆側に隣接する第４の導体線としての導体Ｃ２８と、の距離は、導体ピッチＰ＝０．５ｍｍである。一方で、スリットＳＬを挟んだ導体Ｃ２４と導体Ｃ２７の間の距離は、導体ピッチＰ×３＋導体厚ＴＰ×２＝１．６ｍｍである。したがって、導体Ｃ２４と導体Ｃ２７の間隔は、導体Ｃ２３と導体Ｃ２４の間隔及び導体Ｃ２７と導体Ｃ２８の間隔よりも広い。
【００３７】
図６は、本実施の形態におけるＦＦＣ１０８の端子１０８ａ，１０８ｂの番号と、各導体Ｃ１〜Ｃ２４，Ｃ２７〜Ｃ５０に伝送する信号内容を示している。なお、第１領域３０１には、導体Ｃ１〜Ｃ２４が配置され、第２領域３０２には、導体Ｃ２７〜Ｃ５０が配置されている。導体Ｃ１〜Ｃ２４には、ＡＦＥ２０８から出力される画像データ及び画像データ転送用クロックが割り付けられている。ＡＦＥ２０８は画像データ及び画像データ転送用クロックを差動信号で出力するため、画像データ転送用クロックは「ＣＬＫ＿Ｐ」、「ＣＬＫ＿Ｎ」のペアで表現し、画像データは「ＤＡＴＡ＿ｎ＿Ｐ」、「ＤＡＴＡ＿ｎ＿Ｎ」のペアで表している（ｎ＝１〜６）。
【００３８】
一方、導体Ｃ２７〜Ｃ５０には、ＣＰＵ２０１からＡＦＥ２０８にアクセスするためのシリアル通信用の信号４本と、＋２４Ｖ電源及び＋５Ｖ電源と、が割り付けられている。なお、「ＧＮＤ」は、グラウンド（接地）を表しており、信号が電気的に干渉してノイズとなる導体間のクロストークを防ぐためのグラウンド線として使用されている。
【００３９】
第１領域３０１に配置される導体Ｃ１〜Ｃ２４では、原稿読取中に画像信号を伝送するため、信号の論理が原稿読み取り中に変化する。一方で、第２領域３０２に配置される導体Ｃ２７〜Ｃ５０では、原稿読取開始時から原稿読取終了時まで信号の論理は変化しない。このため、第１領域３０１と第２領域３０２の重なり部分における電気的なクロストークを低減することができる。
【００４０】
［ＦＦＣの配策方法］
次に、ＦＦＣ１０８の配策方法について説明する。まず、図７に示すように、ＦＦＣ１０８の第１領域３０１及び第２領域３０２を図に示すように山折り又は谷折りすることで、第１領域３０１及び第２領域３０２を重ね合せる。具体的には、第１領域３０１の端子１０８ｂ側を、幅方向及び長手方向に対して斜めに１５ｍｍの間隔で谷折り及び山折りする。これにより、第１領域３０１及び第２領域３０２は、ＦＦＣ１０８の厚さ方向から視て、少なくとも一部が重なる。また、第１領域３０１及び第２領域３０２の端子１０８ａ側を、それぞれ斜めに谷折りする。このように第１領域３０１及び第２領域３０２が重ね合さっている部分は、ＦＦＣ１０８の幅が半分になる。更に、図８に示すように、第１領域３０１及び第２領域３０２が重ね合された部分に折り目を付ける。
【００４１】
図９（ａ）（ｂ）は、ＦＦＣ１０８を読取部１０５のプリント基板２０５に設けられたＦＦＣコネクタ２０９及び不図示のコントローラに取り付けた斜視図である。プリント基板２０５は、読取部１０５の筐体１０６の側面１０６ａに取り付けられており、ＦＦＣ１０８の端子１０８ｂは、ＦＦＣコネクタ２０９に下方から接続されている。ＦＦＣコネクタ２０９に一端が接続されたＦＦＣ１０８は、読取部１０５の筐体１０６の側面１０６ａ、底面１０６ｂ及び裏面１０６ｃに沿って這いまわされ、画像読取部５のフレーム１０９の側面１０９ａに当接する。そして、図２（ａ）に示すように、フレーム１０９の側面１０９ａに摺接可能に取付けられて、孔１１０を通ってコントローラ２００のＦＦＣコネクタ２１０に接続される。
【００４２】
以上のように、本実施の形態は構成されており、図２（ａ）に示すように、読取部１０５がホームポジションに位置している際には、ＦＦＣ１０８が側面１０９ａに支持されているため、ＦＦＣ１０８の垂れ下がりが低減されている。しかしながら、図２（ｂ）に示すように、読取部１０５がエンドポジションに位置している際には、ＦＦＣ１０８と側面１０９ａとの当接面積が少なく、第１領域３０１及び第２領域３０２が重なった部分の大部分は宙に浮いている。このため、ＦＦＣ１０８が重力により垂れ下がりやすい。
【００４３】
しかしながら、ＦＦＣ１０８にスリットＳＬを入れて第１領域３０１と第２領域３０２とが折り重なることで、ＦＦＣ１０８の宙に浮いている部分の幅が半分となっている。このため、たとえＦＦＣ１０８が重力により垂れ下がっても、ＦＦＣ１０８をフレーム１０９の底面１０９ｂにＦＦＣ１０８が接触することなく省スペースで這いまわすことができる。そして、ＦＦＣ１０８の幅が半分になった分だけ、ＦＦＣ１０８を断線させることなく画像読取部５の高さを小型化することができる。ＦＦＣ１０８の厚みＴは、垂れ下がり低減並びに配策する際の可撓性の確保のために、０．１５ｍｍ以上１ｍｍ以下が好ましい。
【００４４】
なお、ＦＦＣ１０８の第１領域３０１及び第２領域３０２の長さは、ＦＦＣ１０８の折り方によって僅かに異なるように設計されている。このため、読取部１０５がホームポジションとエンドポジションとの間で移動する際に、第１領域３０１と第２領域３０２とが互いに離れる方向に湾曲することを低減できる。
【００４５】
また、１本のＦＦＣ１０８の中央部にスリットＳＬを入れて重ね合せているため、ＦＦＣを２本使う場合に比してＦＦＣコネクタ２０９，２１０の数は増大せず、画像読取部５をコストダウン及び小型化することができる。更に、第２領域３０２に配置される導体Ｃ２７〜Ｃ５０は原稿読取中に信号の論理が変化しないので、ＦＦＣ１０８を重ね合せることによる電気的なクロストークを低減できる。
【００４６】
＜第２の実施の形態＞
次いで、本発明の第２の実施の形態について説明するが、第２の実施の形態は、第１の実施の形態のＡＦＥ２０８をコントローラ２００側に実装したものである。このため、第１の実施の形態と同様の構成については、図示を省略、又は図に同一符号を付して説明する。
【００４７】
図１０に示すように、コントローラ２００Ａは、ＣＰＵ２０１と、不揮発メモリ２０２と、ＦＦＣコネクタ２１０と、電源供給部２１１と、画像処理部２１２と、変換部としてのＡＦＥ２０８Ａと、を有している。また、プリント基板２０５Ａは、ＬＥＤ２０４を点灯制御するＬＥＤ駆動部２０６と、イメージセンサ２０７と、ＦＦＣコネクタ２０９と、を有している。ＡＦＥ２０８Ａは、イメージセンサ２０７から出力されるアナログの画像信号をデジタルの画像データに変換する。
【００４８】
本実施の形態では、ＡＦＥ２０８Ａがコントローラ２００Ａに実装されているので、ＣＰＵ２０１がＡＦＥ２０８Ａに送信するシリアル信号は、ＦＦＣ１０８によって伝送されない。一方で、ＡＦＥ２０８Ａによって生成されるイメージセンサ２０７への読取開始信号及び駆動信号並びにイメージセンサ２０７が出力したアナログの画像信号が、ＦＦＣ１０８によって伝送される。
【００４９】
図１１は、本実施の形態におけるＦＦＣ１０８の端子１０８ａ，１０８ｂの番号と、各導体Ｃ１〜Ｃ２４，Ｃ２７〜Ｃ５０に伝送する信号内容を示している。図１１に示すように、導体Ｃ１〜Ｃ２４には、イメージセンサ２０７から出力される画像信号及びＡＦＥ２０８から供給される読取開始信号及び駆動信号が割り付けられている。イメージセンサ２０７は、画像信号を差動信号で出力するため、「ＡＮＡＬＯＧ＿ｎ＿Ｐ」、「ＡＮＡＬＯＧ＿ｎ＿Ｎ」のペアで表現している（ｎ＝１〜６）。一方、導体Ｃ２７〜Ｃ５０には、＋２４Ｖ電源及び＋５Ｖ電源が割り付けられている。
【００５０】
以上のように、本実施の形態では、ＦＦＣ１０８が、第１領域３０１においてイメージセンサ２０７から出力するアナログの画像信号を伝送していると共に、第２領域３０２において電源電圧を伝送している。第１領域３０１で伝送されるアナログ信号は、デジタル信号に比べてクロストークの影響を受けやすいが、第２領域３０２で伝送される電源電圧は原稿読取中に信号の論理が変化しない。このため、ＦＦＣ１０８の第１領域３０１と第２領域３０２とが重ね合されても、電気的なクロストークを低減することができる。
【００５１】
なお、第１及び第２の実施の形態において、第１領域３０１及び第２領域３０２は、全域に亘って互いに重なる必要はない。そして、ＦＦＣ１０８は、重力によって垂れ下がった際に、最もフレーム１０９の底面１０９ｂに近接する位置において第１領域３０１及び第２領域３０２が重なるように構成されると好適である。
【００５２】
また、ＦＦＣ１０８は、図７及び図８に示す折り方に限らず、読取部１０５のプリント基板２０５の配置やコントローラ２００の配置に応じて適宜折り方を変更してもよい。また、ＦＦＣ１０８は、スリットＳＬで折り目が付くように折り畳まれなくてもよい。また、ＦＦＣ１０８の導体厚ＴＰは、第１及び第２の実施の形態では５０ミクロンに設定されていたが、これに限定されず、例えば３５ミクロンに設定してもよい。
【００５３】
また、第１及び第２の実施の形態では、２５芯目と２６芯目のピンに対応する２本の導体を抜いてＦＦＣ１０８を構成したが、これに限定されない。すなわち、１本の導体又は３本以上の導体を抜いてＦＦＣ１０８を構成し、抜いた導体の位置にスリットＳＬを設けてもよい。
【００５４】
また、コントローラ２００、画像読取装置３ではなく、装置本体２に設けられていてもよい。上述のフラットケーブル１０８は、画像読取部５に限らず、例えば装置本体２の露光ヘッドと中継基板とを接続するために用いてもよい。
【００５５】
また、既述のいずれの形態においても、電子写真方式のプリンタ１を用いて説明したが、本発明はこれに限定されない。例えば、ノズルからインク液を吐出させることでシートに画像を形成するインクジェット方式の画像形成装置にも本発明を適用することが可能である。
【符号の説明】
【００５６】
５：電子装置（画像読取部）／７０：シート支持部（原稿台ガラス）／１０５：第１の電子機器、読取ユニット（読取部）／１０８：フラットケーブル（ＦＦＣ）／１０９：フレーム／１０９ａ：側面／１０９ｂ：底面／２００：第２の電子機器、制御部（コントローラ）／２０４：光源（ＬＥＤ）／２０７：撮像部（イメージセンサ）／２０８，２０８Ａ：変換部（ＡＦＥ）／２１１：電源供給部／３０１：第１領域／３０２：第２領域／Ｃ２３：第３の導体線（導体）／Ｃ２４：第１の導体線（導体）／Ｃ２７（第２の導体線（導体）／Ｃ２８：第４の導体線（導体）／ＳＬ：スリット
【図１】
2019192474.tif 000003
【図２】
2019192474.tif 000004
【図３】
2019192474.tif 000005
【図４】
2019192474.tif 000006
【図５】
2019192474.tif 000007
【図６】
2019192474.tif 000008
【図７】
2019192474.tif 000009
【図８】
2019192474.tif 000010
【図９】
2019192474.tif 000011
【図１０】
2019192474.tif 000012
【図１１】
2019192474.tif 000013